(57)【要約】  バッテリ把持具（１２）であって、特に原動機付車両の始動用バッテリ（２６）の吸引と操作のために、その中に負圧を掛けることができる負圧室が設けられるハウジング（５６）を有し、その吸引すべき始動用バッテリに向いている吸引面（５４）は吸引開口部（８４、８４）を備え、この場合において、吸引面に始動用バッテリに宛がうための柔軟な被膜（８２）が組み込まれ、この場合において、ハウジングは吸引面に対して平行に延在するＴ字状の横断面を備え、この場合において、断面は棒状部分（６４）と棒状部分から横向きに延伸するウェブ部分（６６）とを、バッテリ把持具に吸引される始動用バッテリにおいて、ウェブ部分が始動用バッテリのバッテリ電極（６８、７０）の間に延伸するように備える。
2017533156.tif 000002
【特許請求の範囲】
【請求項１】
バッテリ把持具（１２）であって、
特に原動機付車両の始動用バッテリ（２６）の吸引と操作のために、その中に負圧を掛けることができる負圧室が設けられるハウジング（５６）を有し、その吸引すべき前記始動用バッテリ（２６）に向いている吸引面（５４）は吸引開口部（８４、８６）を備え、この場合において、前記吸引面（５４）に前記始動用バッテリ（２６）に当てがうための柔軟な被膜（８２）が組み込まれ、この場合において、前記吸引面（５４）および／または前記柔軟な被膜（８２）はＴ字状の横断面を備え、この場合において、前記断面は棒状部分（６４）と、前記棒状部分（６４）に対して横向きに延伸するウェブ部分（６６）とを、前記バッテリ把持具（６６）に吸引された始動用バッテリ（２６）において前記ウェブ部分（６６）が前記始動用バッテリ（２６）のバッテリ電極（６８、７０）の間に延在するように備えるバッテリ把持具（１２）。
【請求項２】
前記吸引開口部（８４、８６）は、その個数、開口断面、および／または形状が吸引すべき始動用バッテリ（２６）のバッテリ上面に適合されるように形成される、ことを特徴とする請求項１に記載のバッテリ把持具（１２）。
【請求項３】
吸引開口部（８４、８６）は、少なくとも２つの異なる開口断面が設けられ、この場合において、第１開口断面は第２開口断面よりも小さい、ことを特徴とする請求項１または請求項２に記載のバッテリ把持具。
【請求項４】
前記吸引面（５４）は前記棒状部分（６４）の方向に３つの吸引部分（９２、９４、９６）を備え、この場合において、中央吸引部分（９２）に、前記第１および前記第２開口断面を有するほぼ同じ多さの吸引開口部（８４、８６）が配置され、および前記中央吸引部分（９２）の外側に配置される２つの末端吸引部分（９４、９６）に前記第２開口断面を有する吸引開口部（８６）のみが配置される、ことを特徴とする請求項３に記載のバッテリ把持具（１２）。
【請求項５】
前記中央吸引部分（９２）は中心部吸引部分（９８）を備え、この場合において、前記中心部吸引部分（９８）に前記第１開口断面を有する吸引開口部（８４）のみが配置され、および前記中央吸引部分（９２）は前記中心部吸引部分（９８）の他に前記末端吸引部分（９４、９６）に隣接する２つの過渡部吸引部分（１００、１０２）を備え、この場合において、前記過渡部吸引部分（１００、１０２）に前記第２開口断面を有する吸引開口部（８６）が、それのみ、または圧倒的な個数で配置される、ことを特徴とする請求項４に記載のバッテリ把持具（１２）。
【請求項６】
前記吸引面（５４）は周りを取り囲む周縁吸引部分（１０４）を備え、この場合において、前記周縁吸引部分には前記第１開口断面を有する吸引開口部（８４）が、それのみ、または圧倒的な個数で配置される、ことを特徴とする請求項３〜請求項５の少なくとも一項に記載のバッテリ把持具（１２）。
【請求項７】
前記柔軟な被膜（８２）に、前記柔軟な被膜（８２）を貫通する円筒状の空洞（８８、９０）が設けられ、この場合において、前記吸引開口部（８４、８６）は前記空洞（８８、９０）に開口し、且つ前記空洞（８８、９０）の大きさは前記吸引開口部（８４、８６）の大きさに対応する、ことを特徴とする請求項１〜６の少なくとも一項に記載のバッテリ把持具（１２）。
【請求項８】
前記空洞（８８、９０）は、その個数、底面、形状および／または深さが吸引すべき始動用バッテリ（２６）のバッテリ上面に適合させられるように形成される、ことを特徴とする請求項８に記載のバッテリ把持具（１２）。
【請求項９】
円筒状の前記空洞（８８、９０）は円形状または長孔形状の底面を備える、ことを特徴とする請求項７または請求項８に記載のバッテリ把持具（１２）。
【請求項１０】
前記バッテリ把持具（１２）はチューブリフタ（１６）に接続するための結合部分を備え、この場合において、前記結合部分は負圧室に開口する開口部（３６）を備え、且つ前記結合部分は均等に前記開口部（３６）の周りに配置されるロックピン（３８）を備える、ことを特徴とする請求項１〜９の少なくとも一項に記載のバッテリ把持具（１２）。
【請求項１１】
前記柔軟な被膜（８２）はフォームプラスチック被膜である、ことを特徴とする請求項１〜１０の少なくとも一項に記載のバッテリ把持具（１２）。
【請求項１２】
前記ハウジング（５６）は、その前記吸引面（５４）に向いていない側面に吸引すべき始動用バッテリ（２６）のプラス極（６８）用の電極マーキングを備える、ことを特徴とする請求項１〜１１の少なくとも一項に記載のバッテリ把持具（１２）。
【請求項１３】
前記ハウジング（５６）は前記ウェブ部分（６６）の領域における、および前記ウェブ部分（６６）の反対に向いた前記棒状部分（６４）における外套側の側面に中央マーキング（７４、７６）を備える、ことを特徴とする請求項１〜１２の少なくとも一項に記載のバッテリ把持具（１２）。
【請求項１４】
前記吸引面（５４）から立ち上がる外套側のストッパ部分（７４、８０）が設けられる、ことを特徴とする請求項１〜１３の少なくとも一項に記載のバッテリ把持具（１２）。
【請求項１５】
操作すべき始動用バッテリ（２６）を側面からクランプするための機械的なクランプ装置が設けられる、ことを特徴とする請求項１〜１４の少なくとも一項に記載のバッテリ把持具（１２）。
【請求項１６】
把持システム（１０）であって、
チューブリフタ（１６）、チューブリフタ（１６）用の操作装置（１４）、少なくとも１つの第１負圧源、および先行請求項の少なくとも一項に記載のバッテリ把持具（１２）を含み、この場合において、前記第１負圧源は前記チューブリフタ（１６）に流体接続される把持システム（１０）。
【請求項１７】
前記第１負圧源は前記バッテリ把持具（１２）に流体接続される、ことを特徴とする請求項１４に記載の把持システム（１０）。
【請求項１８】
前記バッテリ把持具（１２）に流体接続される第２負圧源が設けられる、ことを特徴とする請求項１４または請求項１５に記載の把持システム（１０）。
【発明の詳細な説明】
【技術分野】
【０００１】
本発明は、始動用バッテリを吸引し且つ操作するための、特に原動機付車両の始動用バッテリを吸引し且つ操作するためのバッテリ把持具に関する。さらに本発明は、チューブリフタ、チューブリフタ用の操作装置、少なくとも１つの第１負圧源、およびそのようなバッテリ把持具を含む把持システムに関する。
【背景技術】
【０００２】
負圧把持具は通常、その中に負圧を掛けることができる負圧室が設けられるハウジングを備え、この場合において、ハウジングは加工品に向いている吸引面に吸引断面を有する吸引開口部を備え、加工品に当てがわれる柔軟な被膜が吸引側に組み込まれる。
【０００３】
この種の負圧把持具は特に、例えば板またはパネルのような姿勢が安定した平らな材料のような対象物、または小容器、コップ、皿等のような小さい対象物を把持するまたは持ち上げるために利用される。そのために負圧把持具は、把持すべき対象物の上側に当てがわれる柔軟な被膜を備える。
【０００４】
原動機付車両における増加するエネルギー需要と益々広がっているスタート・ストップ・システムとに基づいて、原動機付車両の始動用バッテリは常に大きくなり、且つそれに伴って重くもなっている。したがって、自動車製造におけるもしくは自動車関連産業における始動用バッテリの置き換えまたは移動の際の身体的負担も増えている。
【０００５】
始動用バッテリは、その構造の故に非常に高い密度を持ち、したがって重たいことが多い。さらに、始動用バッテリの表面は通常、一貫した滑らかな外側輪郭を備えておらず、その結果、妨害輪郭によって始動用バッテリの吸引もしくは把持が困難になる。
【０００６】
一般的に、始動用バッテリはパレット上またはボックス内に貯蔵され、この場合において、梱包密度が高いため、中間空間における始動用バッテリの間の把持は困難となる可能性がある。したがって始動用バッテリは今日まで人の手で鉤または把持具を用いて移動させられるので、バッテリ側面からの始動用バッテリの把持が可能である。しかしそのために最初に人の手で始動用バッテリの位置をずらす必要がある。
【発明の概要】
【発明が解決しようとする課題】
【０００７】
したがって、本発明は、原動機付車両の始動用バッテリをバッテリ上面において吸引することが可能になるバッテリ把持具を用意することを課題とし、この場合において、バッテリ把持具は簡単に製造可能でなければならず、且つ始動用バッテリは確実かつ安全に把持されなければならない。
【課題を解決するための手段】
【０００８】
この課題は請求項１の特徴を有するバッテリ把持具によって解決される。この種のバッテリ把持具は、特に原動機付車両の始動用バッテリの吸引と操作のために、その中に負圧を印加することができる負圧室が設けられるハウジングを備え、吸引すべき始動用バッテリに向いている吸引面は吸引開口部を備え、この場合において、吸引面に始動用バッテリに宛がうための柔軟な被膜が組み込まれ、吸引面および／または柔軟な被膜（８２）はＴ字状の横断面(Querschnitt)を備え、断面は棒状部分と、棒状部分から横向きに延伸するウェブ部分とを、バッテリ把持具に吸引された始動用バッテリにおいてウェブ部分が始動用バッテリのバッテリ電極の間に延在するように備える。これは特に、バッテリ把持具を置く際に、操作すべき始動用バッテリのバッテリ電極の同時接触を回避させることができるので有利である。それによって有利な態様において短絡が回避されることができる。この場合において、吸引面および／または柔軟な被膜のみＴ字状の横断面を備えることを考えることができ、バッテリ把持具のハウジング全体が吸引面に対して平行に延在するＴ字状の横断面を備えることも可能である。
【０００９】
さらに、バッテリ把持具における負圧密封のための前垂れおよび／またはカーテンを設けることが可能である。この場合において、特に、前垂れおよび／またはカーテンがバッテリ把持具における外套面に配置されて、吸引すべきおよび／または操作すべき始動用バッテリの方向に延在すると好ましい。
【００１０】
バッテリ把持具の有利な第１展開例は、その個数、開口断面および／または形状が吸引すべき始動用バッテリのバッテリ上面に適合させられるように、吸引開口部が形成されるものである。この場合において、個数、開口断面および／または形状が、吸引すべきバッテリ上面の漏洩確率に適合させられるように選択されると特に好ましい。漏洩が推定される場合、すなわちバッテリ上面が平らでない領域において、より小さい開口断面を有する吸引開口部を少ない個数備えると有利であり、どちらかと言えば漏洩が推定されない領域において、すなわち平らな領域においてより大きな開口断面を有する吸引開口部をより多い個数設けることができる。
【００１１】
さらに、少なくとも２つの異なる開口断面を有する吸引開口部を設けると有利であり、この例においては、第１開口断面は第２開口断面よりも小さい。この場合において、望ましくは、吸引開口部は、平らでないバッテリ上面の領域において優先的に第１開口断面を有する吸引開口部が設けられ、平らなまたは殆ど平らなバッテリ上面の領域において優先的に第２開口断面を有する吸引開口部が設けられるように形成される。有利な態様において吸引開口部の開口断面もしくは直径と配置または位置は、吸引すべきバッテリ上面の漏洩確率に適合させられるように選択される。漏洩が推定される場合、すなわちバッテリ上面の平らでない領域において、第１開口断面を有する吸引開口部を少ない個数設けるのが有利であり、どちらかと言えば漏洩が推定されない領域、すなわち平らな領域においては、第２開口断面を有する吸引開口部をより多くの個数設けることができる。
【００１２】
前記の例において、吸引面が棒状部分の方向に３つの吸引部分を備えるものが特に好ましく、前記３つの吸引部分を備える例においては、中央吸引部分において第１開口断面を有する吸引開口部と第２開口断面を有する吸引開口部がほぼ同数配置され、且つ中央吸引部分の外側に配置される２つの末端吸引部分において第２開口断面を有する吸引開口部が、それのみ、または圧倒的な個数で配置される。この場合において、第２開口断面を有する吸引開口部の圧倒的な個数とは、各吸引部分に存在する吸引開口部の８０％以上の個数を意味する。
【００１３】
バッテリ把持具の特に有利な展開例は、中央吸引部分が中心部吸引部分を備えるものであり、この展開例においては、中心部吸引部分において第１開口断面を有する吸引開口部のみが配置され、中央吸引部分は中心部吸引部分の他に末端吸引部分に隣接する２つの過渡部吸引部分を備え、過渡部吸引部分においては、第２開口断面を有する吸引開口部が、それのみ、または圧倒的な個数で配置される。この場合において、第２開口断面を有する吸引開口部の圧倒的な個数とは、各吸引部分に存在する吸引開口部の８０％以上の個数を意味する。
【００１４】
さらに、吸引面が周りを取り囲む周縁吸引部分を備えると有利であり、この場合、周縁吸引部分において第１開口断面を有する吸引開口部が、それのみ、または圧倒的な個数で配置される。この場合において、第１開口断面を有する吸引開口部の圧倒的な個数とは、各吸引部分に存在する吸引開口部の８０％以上の個数を意味する。
【００１５】
バッテリ把持具の別の有利な形態は、柔軟な被膜に、柔軟な被膜を貫通する円筒状の空洞が設けられ、吸引開口部がこの空洞に開口し、且つ空洞の大きさが吸引開口部の大きさに対応する、ものである。
【００１６】
空洞の個数、底面、形状および／または深さが、吸引すべき始動用バッテリのバッテリ上面に対応するように空洞を形成すれば特に好ましい。この場合において、個数、底面、形状および／または深さを、吸引すべきバッテリ上面の漏洩確率に適合せられるように選択すれば特に好ましい。漏洩が推定される場合、すなわちバッテリ上面の平らでない領域において、より小さい底面を有する空洞を少ない個数設け、この場合において、どちらかと言えば漏洩が推定されない領域において、すなわち平らな領域においてより大きな底面を有する空洞をより多くの個数設けることができる。
【００１７】
有利な態様において、より大きな開口断面を有する吸引開口部は、より大きな空洞断面もしくはより大きな底面を有する空洞に開口し、より小さい開口断面を有する吸引開口部は、より小さい空洞断面もしくはより小さい底面を有する空洞に開口する。有利な態様において、円筒状の空洞は吸引面に対して垂直に延在する。柔軟な被膜への空洞の設置は、空洞が真空作用室として機能を果たすことができるので特に有利である。
【００１８】
さらに、円筒形の空洞が円形状または長孔形状の底面を備える場合に有利である。この場合においてに、長孔形状の底面を有する空洞において、第２開口断面を備えた２つの吸引開口部が各長孔形状の底面もしくは各空洞に割り当てられる場合は特に好ましい。この場合においてさらに、吸引開口部が長孔形状の底面の各半円形状の末端領域内に配置される場合は特に好ましい。有利な態様において、長孔形状の底面は円形状の底面より大きく形成され、その結果、長孔形状の底面を有する空洞は円形状の底面を有する空洞よりも大きな空洞断面を備える。円形状の底面を有する空洞において、円形状の底面に対して同軸に、第１開口断面を備える吸引開口部が配置されることが望ましい。
【００１９】
バッテリ把持具の別の有利な形態は、バッテリ把持具がチューブリフタへ接続するための結合部分を備え、この場合において、結合部分は負圧室に開口する開口部を備え、且つ、結合部分は均等に開口部周りに配置されるロックピンを備える。
【００２０】
この種の結合部分の設置によって、バッテリ把持具をチューブリフタもしくはチューブリフタ用の操作装置に接続することが可能である。バッテリ把持具がチューブリフタ用の操作装置に接続可能である場合は特に好ましく、この場合において、操作装置は望ましくはピストル型グリップを備え、且つ結合部分を用いてバッテリ把持具に接続することができる。チューブリフタ用の操作装置とのバッテリ把持具の結合のために、ロックピンは、操作装置の収容開口部内にバヨネット式に係合することができる。このようにして、ピストル型グリップを用いてバッテリ把持具の片手操作を可能とすることができる。
【００２１】
さらに、開口部が吸引面の反対に向いた側面に配置されたものが特に好ましく、この場合において、開口部の中心縦軸は、吸引面に対して垂直にバッテリ把持具の重心を通って延伸するのが望ましい。開口部を用いてバッテリ把持具への負圧源の接続が可能である。この場合において、バッテリ把持具用の負圧源として、固有真空もしくはチューブリフタ用の負圧源を使用することができることが考えられる。
【００２２】
バッテリ把持具の特に好ましい展開例は、柔軟な被膜がフォームプラスチック被膜である。
【００２３】
フォームプラスチックが場合によっては平らでないバッテリ上面に良好に密着するので、フォームプラスチックが一方において特に好都合であり、他方において提供する目的に対して特に適しているので、柔軟な被膜としてフォームプラスチック被膜を設置することが有利であることが証明されている。しかし、フォームプラスチック被膜の代わりに他の柔軟な被膜、例えば任意のエラストマーを使用することも考え得る。
【００２４】
バッテリ把持具の別の有利な形態は、ハウジングが吸引面の反対側の面に、吸引すべき始動用バッテリのプラス極に対する電極マーキングを備えるものである。有利な態様において、プラス極側の電極マーキングは赤であり、この場合において、マイナス極側の電極マーキングは望ましくは青に形成することができる。このようなバッテリ電極の電極マーキングの設置によって始動用バッテリの把持もしくは吸引、および操作を容易にすることができる。したがってバッテリ把持具の操作者は、始動用バッテリを吸引するまたは把持するために、どのバッテリ側面からウェブ部分をバッテリ電極間に挿入しなければならないか、を電極マーキングに基づいて認識することができる。
【００２５】
さらに、ハウジングが、ウェブ部分の領域における、およびウェブ部分の反対に向いた棒状部分の側面における外套面に中央マーキングを備える場合は特に好ましい。この場合において、外套面は吸引面に対して横方向に配置されて周りを取り囲むハウジング側面である。中央マーキングの設置によって、バッテリ把持具を、始動用バッテリの上面の中央部に正しく位置合せできる。
【００２６】
さらに、吸引面から立ち上がるストッパ部分を外套面に設けると有利である。ストッパ部分の設置によって、操作すべき始動用バッテリにストッパを設けることができる。この場合において、ウェブ部分における把持具中央の領域にストッパ部分を設ける場合、およびウェブ部分の反対を向いた棒状部分の側面において望ましくは一鏡面に対して鏡像状に配置される偏心的な２つのストッパ部分を設ける場合が特に好ましい。
【００２７】
バッテリ把持具の別の有利な形態は、操作すべき始動用バッテリを側方からクランプするための機械的なクランプ装置を設けたものである。このクランプ装置において把持可能または保持可能とすることができ、この場合において、クランプ装置を用いるクランプは、始動用バッテリの吸引後に行うことが特に好ましい。
【００２８】
初めに述べた課題は、また請求項１４の特徴を有する把持システムによって解決される。そのような把持システムは、チューブリフタ、チューブリフタ用の操作装置、少なくとも１つの第１負圧源、および前述の請求項の少なくとも１つに記載のバッテリ把持具を含み、この場合において、第１負圧源はチューブリフタに流体接続される。しかし、チューブリフタの代わりにリフティング補助具の別の方式、例えばクレーン、ロボット等を企図することも考えられる。この場合において、負圧源として中央集中型または分散型の真空供給部を設けることができる。そのような負圧源は電気式の、例えばポンプまたは送風装置として駆動され得る。さらにエジェクタの形による圧縮空気による負圧源も考えることができる。負圧源は、例えばバッテリ把持具に直接配置してもよく、この場合において、負圧源をリフティング補助具に配置すること、および負圧源をそれに対して用意された負圧チューブを用いてバッテリ把持具に接続することも可能である。
【００２９】
この場合において、望ましくは、操作装置はバッテリ把持具の結合部分に接続するための対向結合部分を備え、この場合において、対向結合部分が結合部分の開口部に挿入可能であるセンタリングピンを備える場合が特に好ましい。さらに、対向結合部分がバッテリ把持具の結合部分のロックピンを収容するための収容開口部を備えるものが有利である。ロックピンの頭部は、バヨネット式の捻じりによって操作装置にバッテリ把持具を解除可能に接続するために収容開口部内に背面係合することができる。
【００３０】
第１負圧源は、バッテリ把持具に流体接続するのが特に好ましい。それによって、既にチューブリフタに負圧を供給している負圧源からバッテリ把持具に負圧を供給できる。
【００３１】
しかし、バッテリ保持具に流体接続される第２負圧源を設けることも考え得る。それによってバッテリ把持具の負圧供給は、チューブリフタの負圧供給から完全に独立して実現し得る。
【００３２】
本発明のその他の詳細と有利な形態は、図に示した実施形態に基づいて詳細に記載されて説明されている以下の記述から読み取らなければならない。
【図面の簡単な説明】
【００３３】
図面は以下のものを示している。
【図１】本発明に基づくバッテリ把持具を有する把持システムの斜視図を示す。
【図２】図１に記載の把持システムの拡大部分図を示す。
【図３】図２に記載の把持システムの側面図を示す。
【図４】図２に記載の把持システムの背面図を示す。
【図５】バッテリ把持具に吸引された原動機付車両の始動用バッテリを有する図１と図２に記載の把持システムの斜視図を示す。
【図６】上から見た本発明に基づくバッテリ把持具の斜視図を示す。
【図７】下から見た本発明に基づくバッテリ把持具の斜視図を示す。
【図８】本発明に基づくバッテリ把持具の下面図を示す。
【図９】図１〜図５に記載の把持システムの操作装置における斜視下面図を示す。
【発明を実施するための形態】
【００３４】
図１〜図５において、本発明に基づくバッテリ把持具１２を含む把持システム１０が示され、この場合において、図６〜図８はバッテリ把持具１２を単独表示において示している。図９は、さらに図１〜図５に記載の把持システム１０の操作装置１４における斜視下面図を示す。
【００３５】
把持システム１０もしくはバッテリ把持具１２の機能態様は図１〜図９に関連付けて全て記述されて説明される。
【００３６】
図１は斜視図において全体が１０で表示される把持システムを示す。把持システム１０はチューブリフタ１６用の操作装置１４を含み、この場合において、チューブリフタ１６は金属環１８を用いて表示されていない天井固定部に固定されることができる。チューブリフタ１６はさらに金属環１８の領域に負圧接続部２０を備え、これを用いてチューブリフタ１６は図には示されていない負圧源に接続されることができる。
【００３７】
図２は、図１に記載の把持システム１０の拡大部分図を示す。この場合において、操作装置１４は、チューブリフタ１６のリフトチューブ２２用の接続装置を備えることが明らかに認識される。このリフトチューブ２２を用いて、一般的に知られているように、操作装置１４に負圧が供給され、且つこの場合において、リフトチューブ２２の短縮または延長によって上げられ、もしくは下げられる。操作装置１４の下側に、バッテリ把持具１２が固定される結合部２４がある。このバッテリ把持具１２を用いて原動機付車両の始動用バッテリ２６は、図５に示すように、吸引され、且つそれによって把持され得、その結果、それに続くリフトチューブ２２の短縮によって始動用バッテリ２６は持ち上げられ得る。接続装置と結合部２４の間に存在する部分は、ピストル型グリップ２６の方式に基づいて形成され、その結果、ピストル型グリップ２６は手を用いて、すなわち片手で握られて、且つ操作され得る。この場合において、比較的軟らかい材料、例えばゴムまたはシリコンゴムによって構成される上から挟むことができる支え台２８に母指球が乗り、その結果、疲労しない作業が可能になる。人差し指を用いて引き金３０が操作され、該引き金３０はピストル型グリップ２６内に組み込まれた図に示されていない引き金側の通気弁を作動させる。
【００３８】
結合部２４は水平軸３２周りに旋回可能であり、その結果、バッテリ把持具１２は始動用バッテリ２６に置くために水平軸３２周りに旋回せられ得る。図９において認識できるように、結合部２４は、特に図６において明確に認識されるようなバッテリ把持具１２の中央開口部３６内に係合されるセンタリングピン３４を備える。センタリングピン３４を用いて、バッテリ把持具１２の図に示されていない負圧室の負圧供給を用意することができる。バッテリ把持具１２自体は、同様に図６において認識されるような、均等に開口部３６周りに配置された４つのロックピン３８を持ち、該ロックピン３８は結合部２４の下側にある鍵穴状の収容開口部４０に係合する。バッテリ把持具１２のバヨネット式の捻じりによって各ロックピン３８の頭部は収容開口部４０内において背面係合される。このロック位置の確保はロックプレート４２を介して行われ、該ロックプレート４２は、解除のためにバネ力に抗して半径方向に連結金具４４において引き出すことができる。半径方向に内側の位置（ロック位置）においてロックプレート４２はごく僅かだけ収容開口部４０を背面係合し、その結果、そこにあるロックピン３８の頭部は収容開口部４０から引き出すことができない。
【００３９】
さらに、操作装置１４の縦軸４７の方向において、復元力に抗して結合部２４から部分的に引き出すことができるロック留めピン４６を認識することができる。それによって収容開口部４０を備えた結合プレート４８はロック解除され、その結果、この結合プレート４８は、縦軸４７周りに回転され得る。部分的に引き出されたロック留めピン４６を横に倒すことによって、再ロックが阻止される。その他に、結合プレート４８は、円周に対して均等に分散して配置されたロック留めピン４６用の４つの収容部５０を備え、その結果、４つの限定された回転位置を占めることができる。
【００４０】
バッテリ把持具１２の機能は図５〜図８に基づいて詳細に記述され説明される。
【００４１】
図５において明白に認識されるように、把持システム１０のバッテリ把持具１２によって始動用バッテリ２６はそのバッテリ上面５２において吸引される。
【００４２】
そのためにバッテリ把持具１２は、吸引すべき始動用バッテリ２６のバッテリ上面５２  に向いた吸引面５４を備える。バッテリ把持具１２はさらに、ハウジング５６を備え、この場合において、ハウジング５６は、図６および図７に示すように、ハウジング上部５８とハウジング下部６０を備え、この場合において、吸引面５４はハウジング下部６０の側面に配置される。
【００４３】
ハウジング上部５８とハウジング下部６０は全体で１３個の接続ネジ６２によって互いにネジ留めされる。全体にハウジング５６は吸引面５４に対して平行に延在するＴ字状の横断面を備え、この場合において、断面もしくはハウジング５６は棒状部分６４と、棒状部分６４に対して横方向にもしくは垂直に延伸するウェブ部分６６を備える。この場合において、ウェブ部分６６は、図５において明確に認識されるように、バッテリ把持具１２に吸引される始動用バッテリ２６において、ウェブ部分６６が始動用バッテリ２６のプラス極６８とマイナス極７０の間に延伸するように形成され、その結果、始動用バッテリ２６の短絡が阻止されることができる。
【００４４】
始動用バッテリ２６上におけるバッテリ把持具１２の位置決めのために、ハウジング５６は始動用バッテリ２６のプラス極６８に対する図には示されていないマーキングを備える。
さらにハウジング５６は、周囲を取り囲む外套面７２において、ウェブ部分６６の把持具中央の領域に中央マーキング７４を備える。さらにハウジング５６はウェブ部分６６の反対に向いた棒状部分６４の側面において把持具中央の領域に、図４において認識される中央マーキング７６を備える。
【００４５】
バッテリ把持具１２をできるだけ簡単に位置決めすることができるようにするために、ウェブ部分６６における把持具中央の領域に、さらに吸引面５４から立ち上がるストッパ部分７８が設けられる。さらにウェブ部分６６の反対に向いた棒状部分６４の側面に、一鏡面に対して鏡像的に配置される偏心的な２つのストッパ部分８０が設けられ、これは同様に吸引面５４から立ち上がる。
【００４６】
吸引面５４上に、フォームプラスチック層８２の形において、始動用バッテリ２６に当てがわれる柔軟な被膜が配置される。フォームプラスチックは場合によって平らでないバッテリ上面５２に良好に密着するので、柔軟な被膜としてフォームプラスチック層８２が選択される。
【００４７】
特に図７および図８から読み取られるように、ハウジング５６は吸引面５４に第１開口断面を有する吸引開口部８４と、第２開口断面を有する吸引開口部８６とを備える。この場合において、吸引開口部８４の第１開口断面は吸引開口部８６の開口断面よりも小さい。この吸引開口部８４、８６はフォームプラスチック層８２の円筒形の空洞８８、９０に開口する。この空洞８８、９０はフォームプラスチック層８２を完全に貫通し、この場合において、空洞８８は円形状の底面を備え、空洞９０は長孔状の底面を備える。この場合において、空洞９０の長孔状の底面は空洞８８の円形状の底面よりも大きい。円形状の底面を有する空洞８８において、第１開口断面を有する吸引開口部８４が各空洞８８に割り当てられ、且つ空洞８８の円形状の底面に対して同軸に配置される。
【００４８】
長孔状の底面を有する空洞９０において、それぞれ第２開口断面を有する２つの吸引開口部８６が各空洞９０に割り当てられ、およびそれぞれ空洞９０の長孔状底面の半円状の末端領域に配置される。
【００４９】
図７において認識されるように吸引面５４は棒状部分６４の方向に３つの吸引部分９２、９４、９６を備える。中央吸引部分９２は吸引面５４の中央に設けられ、この場合において、中央吸引部分９２の外側に２つの末端吸引部分９４、９６が配置される。中央吸引部分９２に、第１および第２開口断面を有するほぼ同じ個数の吸引開口部８４、８６が設けられ、この場合においてまた、円形状底面を有する空洞８８と長孔状底面を有する空洞９０の対応する個数が設けられる。この場合において、末端吸引部分９４、９６に第２開口断面を有する吸引開口部８６および長孔状底面を有する空洞９０のみが配置される。
【００５０】
さらに特に図８に基づく下面図から読み取れるように、中央吸引部分９２は１つの中心部吸引部分９８と、末端吸引部分９４、９６に隣接する２つの過渡部吸引部分１００、１０２とに分割される。中心部吸引部分９８の領域において第１開口断面を有する吸引開口部８４および円形状底面を有する空洞８８のみが配置され、この場合において、過渡部吸引部分１００、１０２において、第２開口断面を有する吸引開口部８６、および長孔状底面を有する空洞９０が、それのみ、または圧倒的な個数で配置される。
【００５１】
さらに吸引面５４は、図８において破線で区切られた周縁吸引部分１０４を備え、この場合において、周縁吸引部分１０４において、第１開口断面を有する吸引開口部８４、および円形状底面を有する空洞８８が、それのみ、または圧倒的な個数で配置される。
【００５２】
この場合において、吸引開口部８４、８６、および空洞８８、９０の配置は、バッテリ上面５２の平らでない部分においてより小さい第１開口断面を有する吸引開口部８４、およびより小さい円形状の底面を有する空洞８８が設けられ、この場合において、バッテリ上面５２の平らな部分においてより大きい第２開口断面を有する吸引開口部８６、およびより大きい長孔状の底面を有する空洞９０が設けられるように、バッテリ上面５２への適合が行われることができ、その結果、バッテリ上面の非平坦性に基づく漏洩が最小化されることができるような配置である。
【図１】
2017533156.tif 000003
【図２】
2017533156.tif 000004
【図３】
2017533156.tif 000005
【図４】
2017533156.tif 000006
【図５】
2017533156.tif 000007
【図６】
2017533156.tif 000008
【図７】
2017533156.tif 000009
【図８】
2017533156.tif 000010
【図９】
2017533156.tif 000011
【国際調査報告】
2017533156.tif 000012
2017533156.tif 000013
2017533156.tif 000014
2017533156.tif 000015
2017533156.tif 000016
2017533156.tif 000017